(57)【要約】【課題】送風ファンによって吸い込まれ仕切板に沿って流れる空気流の送風騒音を抑え送風性能を向上できるようにした空気調和機の室外機を提供する。【解決手段】背面側に吸込口６を、正面側に吹出口７を備えた外胴８を底板１に被着し、同底板１上に立設された仕切板２により熱交換器室と圧縮機室とに区画し、前記熱交換器室に、前記吸込口６に対向した熱交換器３および前記吹出口７に対向した送風ファン４を夫々配設すると共に、前記圧縮機室に圧縮機５を配設してなる空気調和機の室外機において、前記仕切板２の前記熱交換器室側に多数のディンプル１１を突設した。【選択図】  図１
2004226024.tif 000002
【特許請求の範囲】
【請求項１】
背面側に吸込口を、正面側に吹出口を備えた外胴を底板に被着し、同底板上に立設された仕切板により熱交換器室と圧縮機室とに区画し、前記熱交換器室に、前記吸込口に対向した熱交換器および前記吹出口に対向した送風ファンを夫々配設すると共に、前記圧縮機室に圧縮機を配設してなる空気調和機の室外機において、
前記仕切板の前記熱交換器室側に多数のディンプルを突設してなることを特徴とする空気調和機の室外機。
【請求項２】
前記ディンプルが、前記仕切板の少なくとも前記吸込口近傍の上下全域にわたって形成されてなることを特徴とする請求項１に記載の空気調和機の室外機。
【請求項３】
前記仕切板が板金製でなり、前記ディンプルが絞り加工により半球面状に形成されてなることを特徴とする請求項１または請求項２に記載の空気調和機の室外機。
【請求項４】
前記仕切板が合成樹脂製でなり、前記ディンプルが半球面状に一体成形されてなることを特徴とする請求項１または請求項２に記載の空気調和機の室外機。
【発明の詳細な説明】
【０００１】
【発明の属する技術分野】
本発明は、空気調和機の室外機に係わり、より詳細には、送風ファンによって吸い込まれ仕切板に沿って流れる空気流の送風騒音を抑え送風性能を向上できるようにした構造に関する。
【０００２】
【従来の技術】
従来、空気調和機における通風に起因する騒音低減を、簡素な構成で低コストに実現するものとして、通風路の壁面に、風の流れ方向と平行に複数のリブレットを形成し、これにより摩擦抵抗を減少させ、風性能を向上させるようにしたものがあった（例えば、特許文献１参照。）。
【０００３】
上記リブレットの微小凹凸条を、風の流れ方向に略平行に延設したことによって、空気調和機の室内ユニットの通風路における摩擦抵抗が減少し、風性能が向上することから、通風に起因する騒音が減少するようになっていた。
【０００４】
しかしながら、例えば底板上を、図４（Ａ）および図４（Ｂ）で示すような板金製でなる平板状の仕切板２によって、熱交換器室と圧縮機室とに区画した構成でなる空気調和機の室外機においては、上記説明のように、通風路における摩擦抵抗を減少させることが困難であることから、風性能を向上させて通風に起因する騒音を減少させるような対策を講じることが望まれていた。
【０００５】
そのため、例えば図５（Ａ）および図５（Ｂ）で示すように、絞り加工により上下に延びる複数の凸条部１２を形成する場合があったが、こうした凸条部１２には形状および寸法に加工上の限界もあって充分に整流することができず、送風時の騒音の発生を防止する上でも不充分であった。
【０００６】
【特許文献１】
実開平５ー４０７１７号公報（要約及び第４頁、第１図及び第２図）
【０００７】
【発明が解決しようとする課題】
本発明は上記問題点に鑑み、送風ファンによって吸い込まれ仕切板に沿って流れる空気流の送風騒音を抑え送風性能を向上できるようにした空気調和機の室外機を提供することを目的とする。
【０００８】
【課題を解決するための手段】
本発明は、上記課題を解決するため、背面側に吸込口を、正面側に吹出口を備えた外胴を底板に被着し、同底板上に立設された仕切板により熱交換器室と圧縮機室とに区画し、前記熱交換器室に、前記吸込口に対向した熱交換器および前記吹出口に対向した送風ファンを夫々配設すると共に、前記圧縮機室に圧縮機を配設してなる空気調和機の室外機において、
前記仕切板の前記熱交換器室側に多数のディンプルを突設してなる構成となっている。
【０００９】
また、前記ディンプルが、前記仕切板の少なくとも前記吸込口近傍の上下全域にわたって形成されてなる構成となっている。
【００１０】
また、前記仕切板が板金製でなり、前記ディンプルが絞り加工により半球面状に形成されてなる構成となっている。
【００１１】
更に、前記仕切板が合成樹脂製でなり、前記ディンプルが半球面状に一体成形されてなる構成となっている。
【００１２】
【発明の実施の形態】
以下、本発明の実施の形態を図面に基づいた実施例として詳細に説明する。
図１は本発明による空気調和機の室外機の断面図であり、図２は本発明による空気調和機の室外機の分解斜視図であり、図３は本発明による空気調和機の室外機の要部説明図で、（Ａ）は底板上に立設した仕切板の上方からの矢視図、（Ｂ）は仕切板の側面図である。
【００１３】
本発明による空気調和機の室外機は、図１および図２で示すように、底板１上が、同底板１上に立設された仕切板２により熱交換器室と圧縮機室とに区画されている。
【００１４】
前記熱交換器室には、熱交換器３とこれに対向する送風ファン４とが配設され、前記圧縮機室には圧縮機５が配設され、前記底板１には、前記熱交換器３を臨ませた背面側の吸込口６と、前記送風ファン４を臨ませた正面側の吹出口７とを備えた外胴８が被着されている。
【００１５】
前記外胴８は、図２で示すように、前記吹出口７に対応する吹出グリル９と前記送風ファン４を囲繞するファンリング１０とを備えた前面パネル８ａと、両側部を構成する側面パネル８ｂと、背面側を構成する背面パネル８ｃと、上部を構成する上面パネル８ｄとからなり、前記背面パネル８ｃおよび前記一方の側面パネル８ｂには前記吸込口６が設けられている。
【００１６】
前記仕切板２は、図１で示すように、平面視でく字状に湾曲形成された構成となっており、これによって、前記熱交換器３の一側を前記圧縮機５の背面側近傍まで延出させることができるようになっている。
【００１７】
一方、前記仕切板２が湾曲形成されていることから、前記吸込口６から吸い込まれ前記熱交換器３の一側部を通過した空気の一部が前記仕切板２の湾曲部に沿って流通する際、該個所で乱流が生じやすくなって送風騒音が大きくなってしまう恐れがあった。
【００１８】
そのため、前記仕切板２に沿って流通する空気流を充分に整流することができて、該個所における送風騒音が大きくなってしまわないようにするため、前記仕切板２に、前記熱交換器室側に突出するディンプル１１が等間隔により多数突設されてなる構成となっている。
【００１９】
前記多数のディンプル１１は、前記送風ファン４の能力や前記熱交換器室を通過する空気流速などを勘案して、所定の大きさおよび間隔（ピッチ）で形成されるようになっており、また、図１および図３で示すように、前記仕切板２の少なくとも前記吸込口６近傍の上下方向全域にわたって形成されてなる構成となっているので、前記仕切板２の全域に沿って流通する空気流を効果的に整流することができるようになり、送風騒音を効果的に低減できるようになっている。
【００２０】
なお、前記仕切板２の前記吹出口７近傍については、該個所に前記ファンリング１０の一部が近接していることから、流通する空気流に乱流が生じたり送風騒音が発生するおそれがないので、前記ディンプル１１を突設しなくてもよい。
【００２１】
また、前記ディンプル１１は、前記送風ファン４の能力や前記熱交換器室を通過する空気流速などに対応して、半球面状および、または略円錐状に形成して前記熱交換器室側に突出させるようにしてもよい。
【００２２】
例えば、前記仕切板２が板金製でなり、前記ディンプル１１が絞り加工により半球面状および、または略円錐状に形成されてなる構成にすることにより、前記仕切板２に、上記に説明したように空気流を効果的に整流する機能をもたせると共に、前記ディンプル１１を形成したことによって平板状の場合よりも機械的強度を増強させることができる。
【００２３】
または、前記仕切板２が合成樹脂製でなり、前記ディンプル１１が半球面状および、または略円錐状に一体成形されてなる構成にして、前記仕切板２のコストを低減できるようにすると共に、上記に説明したように空気流を効果的に整流する機能をもたせることができるようにしてもよい。
【００２４】
【発明の効果】
以上説明したように、本発明によれば、送風ファンによって吸い込まれ仕切板に沿って流れる空気流の送風騒音を抑え送風性能を向上できるようにした空気調和機の室外機となる。
【００２５】
【図面の簡単な説明】
【図１】本発明による空気調和機の室外機の断面図である。
【図２】本発明による空気調和機の室外機の分解斜視図である。
【図３】本発明による空気調和機の室外機の要部説明図で、（Ａ）は底板上に立設した仕切板の上方からの矢視図であり、（Ｂ）は仕切板の側面図である。
【図４】従来例による空気調和機の室外機の一例を示す要部説明図で、（Ａ）は底板上に立設した仕切板の上方からの矢視図であり、（Ｂ）は仕切板の側面図である。
【図５】従来例による空気調和機の室外機の他の例を示す要部説明図で、（Ａ）は底板上に立設した仕切板の上方からの矢視図であり、（Ｂ）は仕切板の側面図である。
【符号の説明】
１  底板
２  仕切板
３  熱交換器
４  送風ファン
５  圧縮機
６  吸込口
７  吹出口
８  外胴
８ａ  前面パネル
８ｂ  側面パネル
８ｃ  背面パネル
８ｄ  上面パネル
９  吸込グリル
１０  ファンリング
１１  ディンプル
【図１】
2004226024.tif 000003
【図２】
2004226024.tif 000004
【図３】
2004226024.tif 000005
【図４】
2004226024.tif 000006
【図５】
2004226024.tif 000007